(57)【要約】【課題】通信処理変更が発生するごとに管理システムまたはデータ収集システムの通信処理変更する必要性が生じないように、管理システムとデータ収集システムとの間に介在されたデータインターフェース装置およびそれを用いたデータ伝送システムを得る。【解決手段】プラント設備からのプロセスデータ６０を収集するプロセスデータ収集システム２０からプロセスデータを受信する受信処理手段と、プロセスデータ収集システム２０から受信したプロセスデータ６０を格納する格納手段と、プロセスデータ６０を使用する管理システム３０、４０、５０からプロセスデータの送信要求を受付けたときに、格納手段に格納されたプロセスデータを管理システム３０、４０、５０に送信する送信処理手段と、受信処理手段、格納手段および通信処理手段を管理接続する管理手段とを備える。【選択図】図２
2012253558.tif 000002
【特許請求の範囲】
【請求項１】
データを収集するデータ収集システムと前記データを使用する管理システムとの間に介在されたデータインターフェース装置であって、
前記データ収集システムと前記管理システムとの間で前記データの受け渡しのために動作させるデータ伝送通信処理の構築を不要とするための通信処理手段を備え、
前記通信処理手段は、
前記データ収集システムに接続された受信処理手段と、
前記管理システムに接続された送信処理手段と
を含むことを特徴とするデータインターフェース装置。
【請求項２】
前記通信処理手段は、
前記データ収集システムから受信したすべてのデータを格納する格納手段と、
前記受信処理手段、前記格納手段および前記送信処理手段を管理接続する管理手段と、を含み、
前記受信処理手段は、前記データ収集システムから前記データを受信し、
前記送信処理手段は、前記管理システムから所要データの送信要求を受付けたときに、前記格納手段に格納されたデータのうちの前記所要データを前記管理システムに送信することを特徴とする請求項１に記載のデータインターフェース装置。
【請求項３】
前記送信処理手段は、前記管理システムに対して標準の通信処理により前記データを送信することを特徴とする請求項１または請求項２に記載のデータインターフェース装置。
【請求項４】
前記受信処理手段は、前記データ収集システムの通信処理変更に応じて、前記データ収集システムとの間の通信処理を変更することを特徴とする請求項１から請求項３までのいずれか１項に記載のデータインターフェース装置。
【請求項５】
前記通信処理手段は、ＰＬＣにより構成されたことを特徴とする請求項１から請求項４までのいずれか１項に記載のデータインターフェース装置。
【請求項６】
前記データは、プラント設備からの計測値を含むプロセスデータであることを特徴とする請求項１から請求項５までのいずれか１項に記載のデータインターフェース装置。
【請求項７】
データを収集するデータ収集システムと、前記データを使用する管理システムとを備えたデータ伝送システムにおいて、
前記データ収集システムと前記管理システムとの間に、請求項１から請求項６までのいずれか１項に記載のデータインターフェース装置を介在させたことを特徴とするデータ伝送システム。
【発明の詳細な説明】
【技術分野】
【０００１】
この発明は、データを管理システムに効率的に伝送するためのデータインターフェース装置に関し、特に、プラント監視制御システムにおけるプロセスデータ（プラント設備の計測値や機器状態または機器警報など）を管理システムに伝送するためのプロセスデータインターフェース装置およびそれを用いたデータ伝送システムに関するものである。
【背景技術】
【０００２】
従来から、プラント監視システムにおけるプロセスデータ伝送システムにおいては、任意数の管理システムの各々は、プラント設備からのすべてのプロセスデータを収集格納しているプロセスデータ収集システムから、データ伝送路（ＬＡＮ）を介して所要のプロセスデータを取り込んでいる。
【０００３】
このとき、管理システムとプロセスデータ収集システムとの間で、通信データ項目や通信手順方式を取り決めて通信処理方式として構築し、管理システムとプロセスデータ収集システムとの間で、それぞれ構築した通信処理を実現している。
【０００４】
また、他の従来システムとして、プロセスデータ収集システムからプロセスデータを収集して、ＴＣＰ／ＩＰのソケットインターフェースにより、プロセスデータを公開するデータソースサーバ手段を設ける技術も提案されている（たとえば、特許文献１参照）。
【０００５】
さらに、他の従来システムとして、インターフェース用コントローラを、プロセスデータを使用するツールとプロセス制御コントローラとの間に設け、ツールからのプロセスデータ収集要求を受けて、インターフェース用コントローラが、プロセス制御コントローラからプロセスデータを収集し、プロセスデータをツールに転送を行う技術も提案されている（たとえば、特許文献２参照）。
【０００６】
上記構成からなる従来のプロセスデータ伝送システムにおいては、いずれの場合も、管理システムで取り込むプロセスデータ項目の追加／変更／削除などが発生した場合、および、別の通信データ項目や通信手順方式で構成された管理システムの追加または管理システムの削除が発生した場合には、プロセスデータ収集システム側の通信処理を、管理システムの通信処理に合わせて変更することが必要となる。
【０００７】
一方、プロセスデータ収集システムの通信データ項目や通信手順方式が変更された場合には、管理システムの通信処理を、プロセスデータ収集システムの通信処理に合わせて変更することが必要となる。
すなわち、管理システムとプロセスデータ収集システムとの間のプロセスデータ通信処理を構築する必要があり、管理システム側またはプロセスデータ収集システム側のプロセスデータ通信処理方式に変更が発生するごとに、対応する双方のプロセスデータ通信処理を変更する必要がある。
【先行技術文献】
【特許文献】
【０００８】
【特許文献１】特開２０００−１８１５２８号公報
【特許文献２】特開平７−２１０２１４号公報
【発明の概要】
【発明が解決しようとする課題】
【０００９】
従来のデータ伝送システムは、以上のように構成されているので、管理システムの通信処理変更や追加など、またはデータ収集システムの通信処理変更が発生するごとに、各変更に対応する管理システムまたはデータ収集システムの通信処理変更が必要になるという課題があった。
【００１０】
この発明は、上記のような課題を解決するためになされたものであり、管理システム側またはデータ収集システム側の通信処理変更が発生するごとに、対応する管理システムまたはデータ収集システムの通信処理変更する必要性が生じないように、管理システムとデータ収集システムとの間に介在されたデータインターフェース装置およびそれを用いたデータ伝送システムを得ることを目的とする。
【課題を解決するための手段】
【００１１】
この発明に係るデータインターフェース装置は、データを収集するデータ収集システムとデータを使用する管理システムとの間に介在されたデータインターフェース装置であって、データ収集システムと管理システムとの間でデータの受け渡しのために動作させるデータ伝送通信処理の構築を不要とするための通信処理手段を備え、通信処理手段は、データ収集システムに接続された受信処理手段と、管理システムに接続された送信処理手段とを含むものである。
【発明の効果】
【００１２】
この発明によれば、データを取り込む管理システムとデータ収集システムとの間に、データインターフェース装置を介在させるように構成したので、管理システムの通信処理変更またはデータ収集システムの通信処理変更が発生しても、対応する管理システムまたはデータ収集システムでの通信処理変更を不要とすることができる。
【図面の簡単な説明】
【００１３】
【図１】この発明の実施の形態１に係るデータインターフェース装置をデータ伝送システムとともに示すブロック構成図である。
【図２】この発明の実施の形態１に係るデータインターフェース装置の機能構成をデータ伝送システムとともに示すブロック構成図である。
【図３】この発明の実施の形態２に係るデータインターフェース装置の機能構成をデータ伝送システムとともに示すブロック構成図である。
【発明を実施するための形態】
【００１４】
実施の形態１．
以下、図面を参照しながら、この発明の実施の形態１について説明する。
図１はこの発明の実施の形態１に係るデータインターフェース装置をデータ伝送システムとともに示すブロック構成図であり、図２は図１内のデータインターフェース装置の内部機能構成を示すブロック構成図である。
【００１５】
ここでは、代表的に、プラント監視制御システムにおけるプラント設備（図示せず）からのプロセスデータ６０を伝送対象とし、データインターフェース装置としてプロセスデータインターフェース装置１０を適用した場合を示している。
図１において、プロセスデータインターフェース装置１０は、プロセスデータ収集システム２０と、任意数（ここでは、３台）の管理システム３０、４０、５０との間に介在されている。
【００１６】
プロセスデータ収集システム２０は、任意の機種からなる装置、またはＤＣＳ（分散型制御システム）やＰＬＣ（プログラマブルロジックコントローラ）、または計算機やパソコンなどにより構成され得る。
プロセスデータ収集システム２０は、プラント設備からのプロセスデータ６０を収集し、データ伝送路（ＬＡＮ）７０およびプロセスデータインターフェース装置１０を介して、プロセスデータ６０（破線矢印参照）を管理システム３０、４０、５０に伝送する。
【００１７】
管理システム３０、４０、５０は、プロセスデータインターフェース装置１０およびデータ伝送路（ＬＡＮ）７０を介して伝送されたプロセスデータ６０を取り込み使用する。
なお、管理システム３０、４０、５０は、任意の機種からなる装置または計算機やパソコンにより構成され得る。
【００１８】
図２において、プロセスデータインターフェース装置１０は、プロセスデータ収集システム通信処理部１１と、プロセスデータ格納メモリ部１２と、管理システム共通通信処理部１３と、管理部１４と、を備えている。
【００１９】
プロセスデータインターフェース装置１０において、プロセスデータ収集システム通信処理部１１は、プロセスデータ収集システム２０からプロセスデータ６０を取り込んでプロセスデータ格納メモリ部１２に格納する、
【００２０】
管理システム共通通信処理部１３は、管理システム３０、４０、５０からのプロセスデータ送信要求（１点鎖線矢印参照）を受けた際に、プロセスデータ格納メモリ部１２内のプロセスデータ６０を取り出して管理システム３０、４０、５０に送信する。
【００２１】
管理部１４は、プロセスデータインターフェース装置１０内のプロセスデータ収集システム通信処理部１１、プロセスデータ格納メモリ部１２および管理システム共通通信処理部１３の管理を行う。
【００２２】
プロセスデータ収集システム２０は、プロセスデータ収集処理部２１と、プロセスデータインターフェース装置通信処理部２２と、を備えている。
プロセスデータ収集システム２０において、プロセスデータ収集処理部２１は、プラント設備からのプロセスデータ６０を、必要時に一定周期で取り込む。また、プロセスデータインターフェース装置通信処理部２２は、プロセスデータ６０を、一定周期でプロセスデータ収集システム通信処理部１１に送信する。
【００２３】
プロセスデータ６０を使用する管理システム３０、４０、５０は、それぞれ同一構成を有し、管理システム３０は、システム処理部３１と、プロセスデータインターフェース装置通信処理部３２と、を備えている。
管理システム３０において、システム処理部３１は、プロセスデータ６０を任意のタイミングで取り込み使用する。
【００２４】
プロセスデータインターフェース装置通信処理部３２は、システム処理部３１からの要求に応じて、管理システム共通通信処理部１３にプロセスデータ送信要求を入力し、管理システム共通通信処理部１３からプロセスデータ６０を受信してシステム処理部３１に受け渡す。
【００２５】
同様に、管理システム４０は、システム処理部４１と、プロセスデータインターフェース装置通信処理部４２、とを備え、管理システム５０は、システム処理部５１と、プロセスデータインターフェース装置通信処理部５２、とを備えている。
管理システム４０、５０内の各部の機能は、上述した管理システム３０内の各部の機能と同一である。
【００２６】
プロセスデータインターフェース装置１０は、データ収集システム２０と管理システム３０、４０、５０との間でプロセスデータ６０の受け渡しのために動作させるデータ伝送通信処理の構築を不要とするための通信処理手段を構成している。
【００２７】
また、プロセスデータインターフェース装置１０内において、プロセスデータ収集システム通信処理部１１は、管理部１４と協働して受信処理手段を構成しており、管理システム共通通信処理部１３は、管理部１４と協働して送信処理手段を構成している。
【００２８】
送信処理手段は、管理システム３０、４０、５０に対して、あらかじめ決められた標準の通信処理により、各送信要求に応じた所要のプロセスデータ６０を送信する。
また、各管理システム３０、４０、５０は、あらかじめ標準の通信処理でプロセスデータ６０を受信するように設定されている。
【００２９】
次に、図１、図２に示したこの発明の実施の形態１による動作について説明する。
まず、プラント設備から入力されるプロセスデータ６０は、プロセスデータ収集システム２０で一定周期および必要時に全データを収集され、データ伝送路（ＬＡＮ）７０を経由して、プロセスデータインターフェース装置１０に一定周期で送信される。
【００３０】
プロセスデータインターフェース装置１０は、プロセスデータ収集システム２０から一定周期で全点送信されたプロセスデータを、内部のプロセスデータ格納メモリ部１２に格納する。この動作により、プロセスデータ格納メモリ部１２には、一定周期で内容が更新されている全プロセスデータが保持される。
【００３１】
以下、たとえば、管理システム３０は、データ伝送路（ＬＡＮ）７０を経由して、一定周期または任意のタイミングで、プロセスデータインターフェース装置１０からプロセスデータ６０を取り込む。
【００３２】
このとき、プロセスデータ６０の取り込み時に動作するプロセスデータインターフェース装置１０の管理システム共通通信処理部１３は、すべての管理システム３０、４０、５０側のプロセスデータインターフェース装置通信処理部３２、４２、５２に対して、共通の通信インターフェースを提供する。
管理システム４０、５０においても、管理システム３０と同様の動作を実行する。
【００３３】
このように、管理システム３０、４０、５０がプロセスデータ６０を取り込む場合に、プロセスデータインターフェース装置１０に格納されているプロセスデータ６０を取り込むように構成されている。
【００３４】
これにより、管理システム３０、４０、５０が、プロセスデータ６０をプロセスデータ収集システム２０から直接取り込む場合に必要な、管理システム３０、４０、５０とプロセスデータ収集システム２０との間での、プロセスデータ取り込み用の通信手順などを取り決める必要のある双方の通信処理が不要となる。
【００３５】
したがって、管理システム３０、４０、５０の通信処理の変更、またはプロセスデータ収集システム２０の通信処理の変更が発生するごとに、対応する管理システム３０、４０、５０およびプロセスデータ収集システム２０の通信処理を変更する必要がなくなるので、保守性および信頼性の高いプロセスデータインターフェース装置１０およびプロセスデータ伝送システムを得ることができる。
【００３６】
また、図２に示すように、管理システム３０、４０、５０とプロセスデータ収集システム２０との間は、直接の通信接続ではなく、両者間に介在されたプロセスデータインターフェース装置１０を介して接続されている。さらに、プロセスデータインターフェース装置１０内の管理システム共通通信処理部１３は、管理システム３０、４０、５０内のプロセスデータインターフェース装置通信処理部３２、４２、５２と共通の通信処理としている。
【００３７】
以上のように、この発明の実施の形態１（図１、図２）に係るプロセスデータインターフェース装置１０は、プラント設備からのプロセスデータ６０を収集するプロセスデータ収集システム２０からプロセスデータ６０を受信する受信処理手段（プロセスデータ収集システム通信処理部１１および管理部１４）と、プロセスデータ収集システム２０から受信したプロセスデータ６０を格納する格納手段（プロセスデータ格納メモリ部１２）と、プロセスデータ６０を使用する管理システム３０、４０、５０からプロセスデータの送信要求を受付けたときに、格納手段に格納されたプロセスデータ６０を管理システム３０、４０、５０に送信する送信処理手段（管理システム共通通信処理部１３および管理部１４）と、受信処理手段、格納手段および送信処理手段を管理接続する管理手段（管理部１４）とを備えている。
【００３８】
すなわち、プロセスデータインターフェース装置１０は、プラント設備からのプロセスデータ６０を収集するプロセスデータ収集システム２０と、プロセスデータ６０を使用する管理システム３０、４０、５０との間に介在されており、プロセスデータ収集システム２０と管理システム３０、４０、５０との間でプロセスデータ６０の受け渡しのために動作させるプロセスデータ伝送通信処理を不要とするための通信処理手段を備えている。
【００３９】
プロセスデータ伝送通信処理を不要とするための通信処理手段は、プロセスデータ収集システム２０に接続された受信処理手段（プロセスデータ収集システム通信処理部１１および管理部１４）と、管理システム３０、４０、５０に接続された送信処理手段（管理システム共通通信処理部１３および管理部１４）とを含む。
【００４０】
このように、管理システム３０、４０、５０とプロセスデータ収集システム２０との間にプロセスデータインターフェース装置１０を介在させることにより、双方の通信処理方式の共通化を実現することができる。
また、管理システム３０、４０、５０側またはプロセスデータ収集システム２０側で通信処理方式の変更が発生しても、通信処理変更ごとに対応した双方のプロセスデータ通信処理の変更を不要とすることができる。
【００４１】
すなわち、管理システムの追加または撤去が発生した場合においても、プロセスデータインターフェース装置１０側およびプロセスデータ収集システム２０側の通信処理の変更を不要とすることができる。
【００４２】
また、管理システム３０、４０、５０とプロセスデータ収集システム２０との間は、プロセスデータインターフェース装置１０を介して接続されているので、プロセスデータ収集システム２０側のプロセスデータインターフェース装置通信処理部２２の変更が発生した場合には、プロセスデータインターフェース装置１０内のプロセスデータ収集システム通信処理部１１を変更するのみで、管理システム３０、４０、５０側のプロセスデータインターフェース装置通信処理部３２、４２、５２の変更は不要とすることができる。
【００４３】
なお、図１、図２では、３台の管理システム３０、４０、５０が接続された構成としたが、管理システムは、１台であっても、または４台以上であってもよい。
【００４４】
また、図２では、プロセスデータインターフェース装置１０が各通信処理部１１、１３、プロセスデータ格納メモリ部１２および管理部１４を備える構成としたが、ＰＬＣをプロセスデータインターフェース装置１０として用いてもよい。これにより、プロセスデータインターフェース装置１０を容易に構築することができ、信頼性および経済性に優れたプロセスデータインターフェース装置１０を実現することができる。
【００４５】
さらに、上記説明では、もっぱらプロセスデータインターフェース装置１０について述べたが、図１、図２に示すように、プロセスデータインターフェース装置１０を管理システム３０、４０、５０とプロセスデータ収集システム２０との間に介在させたプロセスデータ伝送システムを構成することができる。
【００４６】
すなわち、プラント設備からのプロセスデータ６０を収集するプロセスデータ収集システム２０と、プロセスデータ６０を使用する管理システム３０、４０、５０とを備えたプロセスデータ伝送システムにおいて、プロセスデータ収集システム２０と管理システム３０、４０、５０との間に、前述のプロセスデータインターフェース装置１０を介在させることができる。
【００４７】
この場合、管理システム３０、４０、５０側でのプロセスデータ６０の取り出しに関しては、プロセスデータインターフェース装置１０との間であらかじめ通信手順方式を取り決めた通信処理を使用して行うことができる。
また、プロセスデータ６０を使用する管理システムを追加する場合には、プロセスデータ６０の取り込み用の通信処理を新規に製作する必要がなく、管理システムの追加が効率的に行うことができる。
【００４８】
実施の形態２．
なお、上記の実施の形態１（図１、図２）では、プロセスデータ６０を伝送対象としたプロセスデータインターフェース装置１０およびプロセスデータ伝送システムについて述べたが、プロセスデータインターフェース装置１０に限定されることはなく、図３に示すように、監視制御システムで共通に使用する管理システムデータ６０Ａ（プロセスデータ６０から生成された２次データや時系列データなど）を伝送対象として、データインターフェース装置１０Ａおよびデータ伝送システムを構成することもできる。
【００４９】
図３において、前述（図１、図２参照）と同様のものについては、前述と同一符号が付され、前述と対応するものについては、符号の後に「Ａ」が付されている。
この場合、伝送対象は管理システムデータ（以下、単に「データ」という）６０Ａであり、データ伝送システムとしては、前述のプロセスデータインターフェース装置１０およびプロセスデータ収集システム２０に代えて、データインターフェース装置１０Ａおよびデータ収集システム２０Ａを備えている。
【００５０】
データインターフェース装置１０Ａは、データ収集システム２０Ａと任意数（たとえば、３台）の管理システム３０Ａ、４０Ａ、５０Ａとの間に介在されている。
データ収集システム２０Ａは、データ６０Ａを取り込み、データ伝送路（ＬＡＮ）７０（図１参照）およびデータインターフェース装置１０Ａを介して、データ６０Ａを管理システム３０Ａ、４０Ａ、５０Ａに伝送する。
【００５１】
管理システム３０Ａ、４０Ａ、５０Ａは、データインターフェース装置１０Ａおよびデータ伝送路（ＬＡＮ）７０を介して伝送されたデータ６０Ａを取り込み使用する。
なお、管理システム３０Ａ、４０Ａ、５０Ａは、任意の機種からなる装置または計算機やパソコンにより構成され得る。
【００５２】
データインターフェース装置１０Ａは、データ収集システム通信処理部１１Ａと、データ格納メモリ部１２Ａと、管理システム共通通信処理部１３と、管理部１４と、を備えている。
【００５３】
データインターフェース装置１０Ａにおいて、データ収集システム通信処理部１１Ａは、データ収集システム２０Ａからデータ６０Ａを取り込んでデータ格納メモリ部１２Ａに格納する、
【００５４】
管理システム共通通信処理部１３は、管理システム３０Ａ、４０Ａ、５０Ａからのデータ送信要求を受けた際に、データ格納メモリ部１２Ａ内のデータ６０Ａを取り出して管理システム３０Ａ、４０Ａ、５０Ａに送信する。
管理部１４は、データインターフェース装置１０Ａ内のデータ収集システム通信処理部１１Ａ、データ格納メモリ部１２Ａおよび管理システム共通通信処理部１３の管理を行う。
【００５５】
データ収集システム２０Ａは、データ収集処理部２１Ａと、データインターフェース装置通信処理部２２Ａと、を備えている。
データ収集システム２０Ａにおいて、データ収集処理部２１Ａは、データ６０Ａを、必要時に一定周期で取り込む。また、データインターフェース装置通信処理部２２Ａは、データ６０Ａを、一定周期でデータ収集システム通信処理部１１Ａに送信する。
【００５６】
データ６０Ａを使用する管理システム３０Ａ、４０Ａ、５０Ａは、それぞれ同一構成を有し、管理システム３０Ａは、システム処理部３１と、データインターフェース装置通信処理部３２Ａと、を備えている。
管理システム３０Ａにおいて、システム処理部３１は、データ６０Ａを任意のタイミングで取り込み使用する。
【００５７】
データインターフェース装置通信処理部３２Ａは、システム処理部３１からの要求に応じて、管理システム共通通信処理部１３にデータ送信要求を入力し、管理システム共通通信処理部１３からデータ６０Ａを受信してシステム処理部３１に受け渡す。
【００５８】
同様に、管理システム４０Ａは、システム処理部４１と、データインターフェース装置通信処理部４２Ａ、とを備え、管理システム５０Ａは、システム処理部５１と、データインターフェース装置通信処理部５２Ａ、とを備えている。
管理システム４０Ａ、５０内の各部の機能は、上述した管理システム３０Ａ内の各部の機能と同一である。
【００５９】
この発明の実施の形態２（図３）に係るデータインターフェース装置１０Ａは、データ収集システム２０Ａからデータ６０Ａを受信する受信処理手段（データ収集システム通信処理部１１Ａ）と、データ収集システム２０Ａから受信したデータ６０Ａを格納する格納手段（データ格納メモリ部１２Ａ）と、データ６０Ａを使用する管理システム３０Ａ、４０Ａ、６０Ａからデータ６０Ａの送信要求を受付けたときに、格納手段に格納されたデータ６０Ａを管理システム３０Ａ、４０Ａ、６０Ａに送信する送信処理手段（管理システム共通通信処理部１３および管理部１４）と、受信処理手段、格納手段および送信処理手段を管理接続する管理手段（管理部１４）とを備えている。
【００６０】
すなわち、データインターフェース装置１０Ａは、データ６０Ａを生成するデータ収集システム２０Ａと、データ６０Ａを使用する管理システム３０Ａ、４０Ａ、６０Ａと、の間に介在されており、データ収集システム２０Ａと管理システム３０Ａ、４０Ａ、６０Ａとの間でデータ６０Ａの受け渡しのために動作させるデータ伝送通信処理を不要とするための通信処理手段を備えている。
【００６１】
データ伝送通信処理を不要とするための通信処理手段は、データ収集システム２０Ａに接続された受信処理手段（データ収集システム通信処理部１１Ａおよび管理部１４）と、管理システム３０Ａ、４０Ａ、６０Ａに接続された送信処理手段（管理システム共通通信処理部１３および管理部１４）とを含む。
【００６２】
また、この発明の実施の形態２（図３）に係るデータ伝送システムは、データ６０Ａを生成するデータ収集システム２０Ａと、データ６０Ａを使用する管理システム３０Ａ、４０Ａ、６０Ａとを備えたデータ伝送システムにおいて、データ収集システム２０Ａと管理システム３０Ａ、４０Ａ、６０Ａとの間に、前述のデータインターフェース装置１０Ａを介在させることができる。
【００６３】
このように、プロセスデータ６０に代えて、データ６０Ａを伝送対象とした場合にも、データインターフェース装置１０Ａおよびデータ伝送システムにおいて、前述と同等の作用効果を奏することは言うまでもない。
また、前述と同様に、データインターフェース装置１０ＡをＰＬＣにより構成してもよい。
【符号の説明】
【００６４】
１０  プロセスデータインターフェース装置、１０Ａ  データインターフェース装置、１１  プロセスデータ収集システム通信処理部、１１Ａ  データ収集システム通信処理部、１２  プロセスデータ格納メモリ部、１２Ａ  データ格納メモリ部、１３  管理システム共通通信処理部、１４  管理部、２０  プロセスデータ収集システム、２０Ａ  データ収集システム、２１  プロセスデータ収集処理部、２１Ａ  データ収集処理部、２２、３２、４２、５２  プロセスデータインターフェース装置通信処理部、２２Ａ、３２Ａ、４２Ａ、５２Ａ  データインターフェース装置通信処理部、３０、４０、５０、３０Ａ、４０Ａ、５０Ａ  管理システム、３１、４１、５１  システム処理部、６０  プロセスデータ、６０Ａ  データ（管理システムデータ）、７０  データ伝送路（ＬＡＮ）。
【図１】
2012253558.tif 000003
【図２】
2012253558.tif 000004
【図３】
2012253558.tif 000005